(57)【要約】【課題】記録装置の内部で発生する全周波数領域の騒音の低減を行うことができる記録装置を提供する。【解決手段】記録用紙Ｐに記録を施す記録装置１１は、記録用紙Ｐに記録を施す際に騒音を発生する騒音源と、騒音源を内部に収容した本体ケース１６と、本体ケース１６の内部に騒音源の収容空間部３０とは別に独立したスキャナー空間部２８を仕切り形成する仕切り壁３１と、収容空間部３０とスキャナー空間部２８とを連通する連通管部３２と、を備え、スキャナー空間部２８の内面において連通管部３２の軸方向と交差する内面部位は、当該スキャナー空間部２８の内面において他の内面部位を形成する壁面材料よりも面密度の高い原稿台ガラス２６により形成されている。【選択図】図２
2011156670.tif 000002
【特許請求の範囲】
【請求項１】
記録媒体に記録を施す際に騒音を発生する騒音源と、
当該騒音源を内部に収容した本体ケースと、
前記本体ケースの内部に前記騒音源の収容空間部とは別に独立した部分空間部を仕切り形成する仕切り部と、
前記収容空間部と前記部分空間部とを連通する連通管部と、
を備え、
前記部分空間部の内面において前記連通管部の軸方向と交差する内面部位は、当該部分空間部の内面において他の内面部位を形成する壁面材料よりも面密度の高い高密度体により形成されている
ことを特徴とする記録装置。
【請求項２】
前記連通管部の開口を覆蓋する多孔質材からなる吸音材をさらに備えた
ことを特徴とする請求項１に記載の記録装置。
【請求項３】
前記吸音材は、前記連通管部における前記部分空間部側の開口を覆蓋する
ことを特徴とする請求項２に記載の記録装置。
【請求項４】
前記収容空間部内で前記騒音源が発生させた騒音を前記連通管部の方向に誘導する誘導部材をさらに備えた
ことを特徴とする請求項１〜請求項３のうち何れか一項に記載の記録装置。
【請求項５】
原稿内容を読み取る画像読取部を備え、当該画像読取部において、前記原稿内容を読み取って画像データを取得するために画像データ取得手段を往復移動させる移動空間が前記部分空間部により構成されると共に、前記原稿内容を読み取られる前記原稿を保持する原稿台が前記高密度体により構成されている
ことを特徴とする請求項１〜請求項４の何れか一項に記載の記録装置。
【発明の詳細な説明】
【技術分野】
【０００１】
本発明は、例えばインクジェット式プリンターなどの記録装置に関する。
【背景技術】
【０００２】
従来から、記録媒体に印刷処理（記録処理）を施す記録装置として、例えばインクを記録用紙（記録媒体）に噴射するインクジェット式記録装置が広く知られている。こうした記録装置では、例えば記録用紙の搬送機構や記録機構などが作動時に騒音を放出するため、近時は様々な騒音抑制策を施した記録装置が提案されている（例えば、特許文献１）。
【０００３】
特許文献１の記録装置では、記録装置内で発生した騒音を低減させるために、記録装置内のデッドスペースに共鳴管と反射面を形成している。すなわち、記録装置から発生した騒音の１／２波長の遅延音を共鳴管により発生させ、その遅延音を反射面により反射させることで増幅させた遅延伝播音と、記録装置から発生した騒音の直接伝播音とを干渉させることにより、騒音の低減を図っている。
【先行技術文献】
【特許文献】
【０００４】
【特許文献１】特開２００３−３０７８９０号公報
【発明の概要】
【発明が解決しようとする課題】
【０００５】
ところで、上記の共鳴管を用いた従来の記録装置では、特定周波数の音のみが騒音抑制の対象音とされる。しかしながら、記録装置においては、特定周波数の音のみでなく、全周波数領域の音が騒音になり得る。そのため、従来の記録装置では、特定周波数以外の音が騒音となって記録装置の内部から外部へ透過する虞があった。
【０００６】
本発明は、上記問題点に鑑みてなされたものであり、その目的は、記録装置の内部で発生する全周波数領域の騒音の低減を行うことができる記録装置を提供することにある。
【課題を解決するための手段】
【０００７】
上記目的を達成するために、本発明の記録装置は、記録媒体に記録を施す際に騒音を発生する騒音源と、当該騒音源を内部に収容した本体ケースと、前記本体ケースの内部に前記騒音源の収容空間部とは別に独立した部分空間部を仕切り形成する仕切り部と、前記収容空間部と前記部分空間部とを連通する連通管部と、を備え、前記部分空間部の内面において前記連通管部の軸方向と交差する内面部位は、当該部分空間部の内面において他の内面部位を形成する壁面材料よりも面密度の高い高密度体により形成されている。
【０００８】
この構成によれば、騒音源の収容空間部から連通管部を通過して部分空間部内に伝搬した特定周波数以外の騒音を、その部分空間部の内面において連通管部の軸方向と交差する高密度体の内面部位により反射して遮音することができる。したがって、そうした騒音が記録装置外に漏れ出ることを抑制でき、記録装置の内部で発生する全周波数領域の騒音の低減ができる。
【０００９】
また、本発明の記録装置は、前記連通管部の開口を覆蓋する多孔質材からなる吸音材をさらに備えている。
この構成によれば、記録装置内で発生した騒音が連通管部を通過するときに、特定周波数以外の騒音を吸音材により吸音できる。したがって、騒音を効果的に低減することができる。
【００１０】
また、本発明の記録装置において、前記吸音材は、前記連通管部における前記部分空間部側の開口を覆蓋する。
この構成によれば、部分空間部の高密度体により形成された内面部位に当たった後に連通管部側に向けて反射した騒音を吸音材により吸音することができる。したがって、さらに騒音を効果的に低減できる。
【００１１】
また、本発明の記録装置は、前記収容空間部内で前記騒音源が発生させた騒音を前記連通管部の方向に誘導する誘導部材をさらに備えている。
この構成によれば、誘導部材により騒音を連通管部に導くため、収容空間部内で発生した騒音の拡散を抑制して、効果的に吸音及び遮音することができる。
【００１２】
また、本発明の記録装置は、原稿内容を読み取る画像読取部を備え、当該画像読取部において、前記原稿内容を読み取って画像データを取得するために画像データ取得手段を往復移動させる移動空間が前記部分空間部により構成されると共に、前記原稿内容を読み取られる前記原稿を保持する原稿台が前記高密度体により構成されている。
【００１３】
この構成によれば、騒音を吸音及び遮音するための共鳴空間として機能する部分空間部及びその高密度体からなる内面を、既存の画像読込部における画像データ取得手段の移動空間及び原稿台にて兼用できるので、部品数の増加や更なる共鳴空間のためのスペース確保が必要でなくなる。したがって、装置の大型化を抑制しつつ、騒音を低減することができる。
【図面の簡単な説明】
【００１４】
【図１】実施形態における記録装置の斜視図。
【図２】実施形態における記録装置の概略正断面図。
【発明を実施するための形態】
【００１５】
以下、本発明を記録装置の一種であるインクジェット式記録装置に具体化した実施形態を図１及び図２に従って説明する。なお、本実施形態のインクジェット式記録装置（以下、「記録装置」と略記する）１１は、印刷処理（記録処理）と原稿に記載された画像（テキストや図形等の原稿内容）を読み取り、それぞれの画像に対応する形式の電子データを生成する画像読取処理を実行可能な複合機である。
【００１６】
図１に示すように、記録装置１１は、その下部に印刷処理を行うプリンター部１２を備えると共に、その上部に画像読取処理を行う画像読取部としてのスキャナー部１３を備えている。プリンター部１２は樹脂材料からなる有底略箱体形状の下部ケース１４を有する一方、スキャナー部１３は下部ケース１４よりも上下方向の寸法が小さい樹脂材料からなる有底略箱体形状の上部ケース１５を有している。そして、下部ケース１４の上側に上部ケース１５が積み重ねられることにより、記録装置１１の外郭形状を規定する本体ケース１６が構成されている。
【００１７】
また、記録装置１１における本体ケース１６の後面（図２では右面）側には、記録媒体としての記録用紙Ｐが積層状態でセットされるサポート１７ａを有する自動給紙機構１７が設けられている。そして、本体ケース１６の前面側において、その上部には操作パネル１８が設けられるとともに、その下部には本体ケース１６内から本体ケース１６外に排出される記録用紙Ｐを支持可能な排紙部１９ａを有する排紙口１９が開口している。
【００１８】
図２に示すように、プリンター部１２の下部ケース１４内には、記録を施されるために搬送される記録用紙Ｐを下方から支持する支持面２０ａを有したプラテン２０が下部ケース１４の底壁１４ａ上に設けられている。プラテン２０の支持面２０ａ上には、図示しない紙送りモーターの駆動に基づきプラテン２０よりも記録用紙Ｐの搬送方向の上流側となる位置に設けられた上流側ローラー２１が回転することにより、記録用紙Ｐが一枚ずつ後方側から給紙口１７ｂを通過して給紙されるようになっている。そして、上流側ローラー２１の回転によってプラテン２０の支持面２０ａ上に給紙された記録用紙Ｐは、プラテン２０よりも記録用紙Ｐの搬送方向の下流側に設けられた下流側ローラー２２の回転に伴って前方に搬送されることにより、排紙口１９から記録装置１１の本体ケース１６外に排紙されるようになっている。
【００１９】
また、プラテン２０の上方には、記録用紙Ｐの搬送方向と直交する左右方向に延びるガイド軸２３が架設されている。ガイド軸２３にはキャリッジ２４が、ガイド軸２３の軸線方向に沿って往復移動可能に支持されている。そして、キャリッジ２４は、例えば駆動モーター及び駆動ベルトなどによって構成される図示しない駆動機構によって、ガイド軸２３の軸線方向に沿って往復移動される。また、キャリッジ２４の下面には、記録用紙Ｐに向かってインクを噴射する記録ヘッド２５が設けられている。
【００２０】
図２に示すように、スキャナー部１３の外郭形状を規定する上部ケース１５の開口部１５ａには、原稿Ｇを載置するための四角形状の透明ガラス板等で形成された原稿台ガラス２６が開口部１５ａを閉塞するように固定されている。また、スキャナー部１３の上部ケース１５には、原稿を読み取る際や不使用時に原稿台ガラス２６を覆う開閉可能な原稿台カバー２７が後面側に形成されたヒンジによって開閉可能に設けられている。
【００２１】
また、スキャナー部１３の上部ケース１５及び原稿台ガラス２６により形成されるスキャナー空間部２８の短手方向（記録装置１１の前後方向であって図２では左右方向）における一端部には、原稿台ガラス２６と平行であって、且つスキャナー空間部２８の長手方向（記録装置１１の左右方向であって図２の紙面と直交する方向）に沿って延びる図示しないスキャナーガイド軸が架設されている。そして、このスキャナーガイド軸には、原稿台ガラス２６の短手方向に対応する長さの図示しないスキャナーキャリッジがスキャナーガイド軸と直交する水平方向に延びるように支持されるとともに、スキャナーガイド軸に沿って往復移動可能に設けられている。
【００２２】
なお、スキャナーキャリッジは、例えば駆動モーター及び駆動ベルトなどによって構成される図示しない駆動機構によって、スキャナーガイド軸の軸線方向に沿って往復移動される。また、スキャナーキャリッジには、原稿内容を光学的に読み取るための図示しない画像入力部が搭載されている。画像入力部は、光源、レンズ、ミラー及びスキャナーキャリッジの長手方向に沿って直線的に配置された光電変換素子（ＣＣＤ）により構成されている。そして、スキャナーキャリッジに搭載された画像入力部の光源により原稿台ガラス２６に載置された原稿に原稿台ガラス２６を通して光を照射して、原稿による反射光を光電変換素子により検出することにより原稿の画像を読み取るようになっている。この点で、スキャナーキャリッジは画像データ取得手段として機能し、スキャナー空間部２８は画像データ取得手段の移動空間として機能する。
【００２３】
さらに、図２に示すように、スキャナー部１３における上部ケース１５の底壁部は、記録装置１１の本体ケース１６内を、キャリッジ２４及びプラテン２０等が収容される収容空間部３０と、スキャナーキャリッジを往復移動させるスキャナー空間部２８とに仕切る仕切り壁３１となっている。すなわち、このスキャナー部１３の上部ケース１５の底壁部により構成される仕切り壁３１は、本体ケース１６内の上部に下部の収容空間部３０とは別の独立した部分空間部（スキャナー空間部２８）を仕切り形成する仕切り部として機能する。
【００２４】
そして、この本体ケース１６の仕切り壁３１には、プリンター部１２の内部空間になる収容空間部３０とスキャナー部１３の内部空間になるスキャナー空間部２８とを連通する断面円形状の複数（図２では９つ図示）の連通管部３２が規則的に配列されて形成されている。すなわち、連通管部３２は仕切り壁３１において収容空間部３０側となる下面３１ａ側及びスキャナー空間部２８側となる上面３１ｂ側にそれぞれ開口するように形成される。そして、これらの連通管部３２は、スキャナー空間部２８を部分空間部として、共鳴現象により特定周波数の騒音を減音する機能を有する。
【００２５】
すなわち、本実施形態では、ガイド軸２３に沿って往復移動する際に摺動音を発生するキャリッジ２４や、搬送される記録用紙Ｐを支持面２０ａに摺接させることにより摺接音（紙送り音）を発生するプラテン２０などが騒音源とされる。そして、連通管部３２とスキャナー空間部２８とにより、スキャナー空間部２８を背後空気層とした共鳴器が形成され、収容空間部３０内で発生した特定周波数の騒音が減音されるようになっている。なお、仕切り壁３１のほぼ全域に形成された複数の連通管部３２の開口径は全て等しくなっており、連通管部３２の形状は、減音させたい騒音の特定周波数に基づいて下記の式により算出される。
【００２６】
ｆ＝（ｃ／２π）√Ｓ／Ｖ・Ｌ
ここで、ｆは減音させたい騒音の周波数、ｃは音速、Ｓは連通管部３２の開口断面積、Ｖは連通管部３２の背後空気層（スキャナー空間部２８）の容積、Ｌは連通管部３２の長さである。例えば、本実施形態では、減音させたい騒音であるキャリッジ２４の移動に伴い発生するキャリッジ摺動音等の周波数に基づいて連通管部３２の形状が算出される。
【００２７】
また、仕切り壁３１における連通管部３２のスキャナー空間部２８側の開口は、グラスウール等の繊維系やポリウレタンフォーム等の連続気泡を有する多孔質材料からなり全周波数領域の騒音を吸音する吸音材３３により覆蓋されている。吸音材３３は、その寸法が仕切り壁３１における連通管部３２が形成された領域の寸法に対応しており、その領域上に載置された状態では、全ての連通管部３２の開口を覆うようになっている。
【００２８】
また、図２に示すように、本体ケース１６における仕切り壁３１の下面３１ａには、本体ケース１６（下部ケース１４、上部ケース１５）と同じ樹脂材料からなる断面形状が縦長矩形状の第１誘導部材３４が収容空間部３０内に垂下するように支持されている。具体的には、仕切り壁３１に配列形成された連通管部３２の下方空間域に隣接して且つ上下方向でガイド軸２３に対応する位置から垂下した状態にてキャリッジ２４の往復移動領域に沿うように延設されている。
【００２９】
また、図２に示すように、第１誘導部材３４の突出方向の長さ（すなわち、仕切り壁３１の下面３１ａから第１誘導部材３４の下端面３４ａまでの長さ）Ｌ１は、仕切り壁３１の下面３１ａから該下面３１ａと対向するキャリッジ２４の上側面２４ａまでの長さＬ０よりも僅かに小さくなるように形成されている。すなわち、第１誘導部材３４は、キャリッジ２４の上方空間域を上下方向に縦断する垂下態様で前後に遮断するが、キャリッジ２４の上側面２４ａがキャリッジ２４の往復移動時に第１誘導部材３４の下端面３４ａに接触しないようになっている。
【００３０】
さらに、図２に示すように、本体ケース１６における仕切り壁３１の下面３１ａには、第１誘導部材３４と同じ樹脂材料からなる断面形状が下向きの略直角三角形状をなし且つその斜辺が湾曲した凹状をなす第２誘導部材３５が収容空間部３０内に垂下するように支持されている。具体的には、仕切り壁３１に配列形成された連通管部３２の下方空間域に隣接して且つプリンター部１２の排紙口１９の上方となる位置に第１誘導部材３４と平行に延びるように設けられている。すなわち、第２誘導部材３５は、本体ケース１６における下部ケース１４の前側壁部１４ｂと仕切り壁３１の下面３１ａとを直角に交わる二辺の接合面として収容空間部３０内に支持されている。そして、その凹状に湾曲した斜辺により構成される湾曲面３５ａと第１誘導部材３４の側面３４ｂとにより、収容空間部３０内で発生した騒音を仕切り壁３１に配列形成された連通管部３２に向けてガイドする上側ほど空間断面積が小さくなるガイド空間域を形成している。
【００３１】
次に、以上のように構成された記録装置１１の作用について、特に記録装置１１の内部において発生する騒音を抑制する際の作用について説明する。
さて、例えばプリンター部１２において印刷が開始されると、自動給紙機構１７が駆動してサポート１７ａから記録用紙Ｐが送り出され、サポート１７ａから送り出された用紙Ｐは上流側ローラー２１によってプラテン２０上の印刷位置に搬送される。このとき、プリンター部１２の内部空間である収容空間部３０では、図示しない紙送りモーターの駆動音やプラテン２０の支持面２０ａに記録用紙Ｐが摺接することによる摺接音等の騒音が発生する。そして次に、プラテン２０上の印刷位置に搬送された記録用紙Ｐに対して、キャリッジ２４がガイド軸２３に沿って往復移動しながらインクを噴射して印刷が行われる。このとき、キャリッジモーターの駆動音や記録用紙Ｐの摺接音、キャリッジ２４の移動に伴う摺動音等の騒音が発生する。そして、記録用紙Ｐへの印刷が終了すると、記録用紙Ｐは排紙口１９に搬送されて排紙口１９から記録装置１１外に排出される。このとき、収容空間部３０では、再び図示しない紙送りモーターの駆動音や記録用紙Ｐのプラテン２０に対する摺接音等の騒音が発生する。
【００３２】
このように、記録装置１１において印刷処理が行われる際には、収容空間部３０で様々な騒音が発生する。そして、印刷処理時に収容空間部３０で発生した騒音は、伝播して収容空間部３０内を拡散する。このとき、キャリッジ２４の上方空間域に設けられた第１誘導部材３４により、収容空間部３０内でのキャリッジ２４の後方への騒音の拡散が抑制されて、騒音は仕切り壁３１に形成された連通管部３２に向けて誘導される。さらに、排紙口１９の上方空間域に設けられた第２誘導部材３５により、排紙口１９に向かう騒音の拡散が抑制されて、騒音は連通管部３２に向けて誘導される。
【００３３】
第１誘導部材３４及び第２誘導部材により収容空間部３０内を連通管部３２に向けて誘導された騒音は、連通管部３２に到達すると、該連通管部３２の下側の開口から連通管部３２の内部に進入する。連通管部３２では、該連通管部３２内で音が共鳴して摩擦が生じるため、連通管部３２内の空気が激しく振動する。そして、連通管部３２内で特定周波数の騒音が熱エネルギーに変換されて減音される。
【００３４】
そして次に、連通管部３２により減音されなかった特定周波数以外の周波数の騒音は、連通管部３２を通過した後、連通管部３２のスキャナー空間部２８側となる上側の開口を覆蓋する吸音材３３により吸音される。
【００３５】
さらに、連通管部３２及び吸音材３３により減音及び吸音されずにスキャナー空間部２８内に進入した騒音は、連通管部３２の軸方向において仕切り壁３１と対向するように配置された原稿台ガラス２６に到達する。ここで、原稿台ガラス２６は、連通管部３２の軸方向と直交（交差）する内面部位であると共に、スキャナー空間部２８の他の内面を形成する壁面材料よりも面密度の高い高密度体で形成されている。そして、原稿台ガラス２６は音の透過損失が大きいため、原稿台ガラス２６に到達した騒音の大部分は透過せずに反射して仕切り壁３１に向かって戻る。そして、反射した騒音は再び仕切り壁３１の吸音材３３により吸音されて、騒音が収容空間部３０に再進入するのを抑制される。
【００３６】
上記実施形態によれば、以下のような効果を得ることができる。
（１）本実施形態の記録装置１１では、収容空間部３０で発生した騒音は、仕切り壁３１に形成された連通管部３２の共鳴作用により特定周波数の騒音が減音される。そして、連通管部３２を通過した特定周波数以外の騒音はスキャナー空間部２８内において仕切り壁３１と対向する面に配置されている原稿台ガラス２６により反射して遮音される。したがって、騒音が記録装置１１外に漏れ出ることを抑制でき、記録装置１１の内部で発生した全周波数領域の騒音の低減ができる。
【００３７】
（２）本実施形態の記録装置１１では、連通管部３２の開口に配置された吸音材３３により、騒音が連通管部３２を通過するときに全周波数領域の騒音が吸音される。したがって、特定周波数以外の騒音を吸音材３３により吸音できるため、騒音を効果的に低減することができる。
【００３８】
（３）本実施形態の記録装置１１では、連通管部３２の開口のうちスキャナー空間部２８側となる上側の開口を覆蓋する吸音材３３により、スキャナー空間部２８内において原稿台ガラス２６に当たった後に連通管部３２に向かって反射した騒音が再び吸音されるので更に騒音を効果的に低減できる。
【００３９】
（４）本実施形態の記録装置１１では、収容空間部３０に設けられた第１誘導部材３４及び第２誘導部材３５により、キャリッジ２４の後方及び排紙口１９への騒音の拡散が抑制されるとともに、騒音が連通管部３２に向けて導かれる。したがって、記録装置１１の排紙口１９から放出される騒音の割合が減少して、騒音を効果的に吸音及び遮音することができる。
【００４０】
（５）本実施形態の記録装置１１では、騒音を吸音及び遮音するための共鳴空間として機能する部分空間部及びその高密度体からなる内面を、既存のスキャナー部１３内におけるスキャナーキャリッジが往復移動するスキャナー空間部２８及び原稿台ガラス２６にて兼用できる。そのため、記録装置１１の部品数の増加や更なる共鳴空間のためのスペース確保が必要でなくなる。したがって、装置の大型化を抑制しつつ騒音を低減することができる。
【００４１】
（６）本実施形態の記録装置１１では、キャリッジ２４の移動方向に沿って連通管部３２が設けられているので、印刷時にキャリッジ２４が発生する騒音を効果的に低減することができる。
【００４２】
なお、上記実施形態は以下のように変更してもよい。
・様々な孔径の連通管部３２を混在して形成してもよい。この場合、連通管部３２では特定周波数の音に偏ることなく均等に騒音を減音させることができる。
【００４３】
・第１誘導部材３４をキャリッジ２４の上側面２４ａから仕切り壁３１の下面３１ａに対して垂直となる方向（図２では鉛直上方向）に突設させてもよい。
・第１誘導部材３４は断面形状が縦長矩形状をなすように形成し、第２誘導部材３５は下向きの略直角三角形状をなし且つその斜辺が湾曲した凹状をなすように形成したが、例えば、第１誘導部材３４を第２誘導部材３５と同じ形状に形成するなど、異なる形状に形成してもよい。
【００４４】
・収容空間部３０に第１誘導部材３４及び第２誘導部材３５の２つの誘導部材を設けたが、２つの誘導部材のうちどちらか一方だけでもよい。また、収容空間部３０に誘導部材を設けなくてもよい。
【００４５】
・騒音を減音する共鳴器の背後空間及び騒音を遮音するための高密度体として、スキャナー空間部２８及び原稿台ガラス２６を用いずに、収容空間部３０に高密度体を備えた共鳴器を設けてもよい。
【００４６】
・吸音材３３を連通管部３２の収容空間部３０側の開口に配置しても良い。また、連通管部３２の開口に吸音材３３を設けなくても良い。
・上記実施形態では、記録装置をインクジェット式記録装置１１に具体化したが、インク以外の他の液体を噴射したり吐出したりする記録装置を採用してもよい。微小量の液滴を吐出させる液体噴射ヘッド等を備える各種の液体噴射装置に流用可能である。なお、液滴とは、上記記録装置から吐出される液体の状態をいい、粒状、涙状、糸状に尾を引くものも含むものとする。また、ここでいう液体とは、記録装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。記録装置の具体例としては、例えば液晶ディスプレイ、ＥＬ（エレクトロルミネッセンス）ディスプレイ、面発光ディスプレイ、カラーフィルタの製造などに用いられる電極材や色材などの材料を分散又は溶解のかたちで含む液体を噴射する記録装置、バイオチップ製造に用いられる生体有機物を噴射する記録装置、精密ピペットとして用いられ試料となる液体を噴射する記録装置、捺染装置やマイクロディスペンサ等であってもよい。さらに、時計やカメラ等の精密機械にピンポイントで潤滑油を噴射する記録装置、光通信素子等に用いられる微小半球レンズ（光学レンズ）などを形成するために紫外線硬化樹脂等の透明樹脂液を基板上に噴射する記録装置、基板などをエッチングするために酸又はアルカリ等のエッチング液を噴射する記録装置を採用してもよい。そして、これらのうちいずれか一種の記録装置に本発明を適用することができる。
【符号の説明】
【００４７】
１１…記録装置、１２…プリンター部、１３…画像読取部としてのスキャナー部、１６…本体ケース、２６…高密度体としての原稿台ガラス、２８…部分空間部としてのスキャナー空間部、３０…収容空間部、３１…仕切り部としての仕切り壁、３２…連通管部、３３…吸音材、３４…第１誘導部材、３５…第２誘導部材。
【図１】
2011156670.tif 000003
【図２】
2011156670.tif 000004